(57)【特許請求の範囲】
【請求項１】
サイズの異なる複数枚の原稿が混載された各原稿を順次読取り位置に給送可能な原稿給送手段と、前記原稿給送手段から給送される原稿枚数および原稿サイズを検知する原稿検知手段と、前記原稿給送手段から給送される原稿を読み取る画像読取り手段と、前記画像読取り手段が読み取った原稿画像情報を記憶する第１の記憶手段と、前記第１の記憶手段に記憶された各原稿画像情報に基づいて記録媒体に画像を出力する画像出力手段と、前記第１の記憶手段に記憶された所定数の原稿画像を選択される記録媒体のサイズに応じて確保されるレイアウト領域に展開させるレイアウトモードを設定する第１の設定手段と、前記原稿給送手段からサイズの異なる原稿を給送する原稿混載モードを設定する第２の設定手段と、前記第１および第２の設定手段により前記原稿混載モードおよび前記レイアウトモードが設定された場合に、前記原稿検知手段が検知した各原稿サイズの順番を記憶する第２の記憶手段と、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定手段と、前記決定手段により決定された前記レイアウトに基づいて前記第１の記憶手段から読み出される各原稿画像情報の出力順序を変更して前記画像出力手段に出力する制御手段とを有することを特徴とする画像処理装置。
【請求項２】
前記制御手段は、前記第２の記憶手段に記憶された前記各原稿サイズの順番を同サイズ毎に切り分けた出力順序に変更することを特徴とする請求項１記載の画像処理装置。
【請求項３】
前記制御手段は、前記第２の記憶手段に記憶された前記各原稿サイズの順番を同サイズ毎に切り分けた際に、サイズの区切りに応じて前記画像出力手段がレイアウト出力するページを変更することを特徴とする請求項１記載の画像処理装置。
【請求項４】
前記制御手段は、前記第２の記憶手段に記憶された前記各原稿サイズの順番を同サイズ毎のグループに切り分けた際に、隣接するページ間でサイズが異なる区切り位置に対応して空白エリアを挿入することを特徴とする請求項１記載の画像処理装置。
【請求項５】
前記制御手段は、前記第２の記憶手段に記憶された前記各原稿サイズの順番を同サイズ毎のグループに切り分けた際に、いずれかの一方のグループに対して隣接するページ間でサイズが異なる区切り位置に対応して空白エリアを挿入することを特徴とする請求項１記載の画像処理装置。
【請求項６】
前記制御手段は、前記第２の記憶手段に記憶された前記各原稿サイズの順番を同サイズ毎のグループに切り分けた際に、隣接するページ間でサイズが異なる区切り位置に応じて前記画像出力手段がレイアウト出力するページを変更することを特徴とする請求項１記載の画像処理装置。
【請求項７】
サイズの異なる複数枚の原稿が混載された各原稿を順次読取り位置に給送可能な原稿給送手段と、前記原稿給送手段から給送される原稿枚数および原稿サイズを検知する原稿検知手段と、前記原稿給送手段から給送される原稿を読み取る画像読取り手段と、前記画像読取り手段が読み取った原稿画像情報を記憶する第１の記憶手段と、前記第１の記憶手段に記憶された各原稿画像情報に基づいて記録媒体に画像を出力する画像出力手段と、前記原稿検知手段が検知した各原稿サイズの順番を記憶する第２の記憶手段とを有する画像処理装置のレイアウト処理方法において、前記第１の記憶手段に記憶された所定数の原稿画像を選択される記録媒体のサイズに応じて確保されるレイアウト領域に展開させるレイアウトモードを設定する第１の設定工程と、前記原稿給送手段からサイズの異なる原稿を給送する原稿混載モードを設定する第２の設定工程と、前記原稿混載モードおよび前記レイアウトモードが設定された場合に、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定工程と、該決定された前記レイアウトに基づいて前記第１の記憶手段から読み出される各原稿画像情報の出力順序を変更して前記画像出力手段に出力する出力工程とを有することを特徴とする画像処理装置のレイアウト処理方法。
【発明の詳細な説明】
【０００１】
【発明の属する技術分野】
本発明は、複数枚の原稿画像を読み取ってメモリ上でレイアウト編集しながら画像出力可能な画像処理装置および画像処理装置のレイアウト処理方法に関するものである。
【０００２】
【従来の技術】
従来、この種の画像処理装置では、画像メモリを使用し同一サイズの原稿については、各原稿をレイアウト編集出力処理するためのレイアウトモード（複数の原稿画像を一つの用紙にレイアウトする）を備えたものが提案されている。
【０００３】
【発明が解決しようとする課題】
しかしながら、現在書類のサイズはＡ系，Ｂ系，ＩＮＣＨ系など様々な系が存在し、かつ、この中でもＡ系を例にとるとＡ４，Ａ３などを使用し書類のサイズは同系列であっても全てが同じサイズとはならない。
【０００４】
また、図面書類などでは、Ａ３，Ａ４が多数混載している場合があり得る。こういった状況の中で、異なるサイズの書類が混載した状態で、各書類を１枚にレイアウトするモードが存在せず、一度同サイズに書類を変換した後でなければ、所望とするレイアウト編集結果を得ることができず、この様な原稿サイズの制限からユーザは異なるサイズの原稿を同一の原稿サイズに揃える画像編集を余儀なくされ、所望とするレイアウト画像編集出力を容易に得ることできないと共に、前処理に用紙無駄が発生するという等の幾多の問題点があった。
【０００５】
本発明は、上記の問題点を解消するためになされたもので、本発明に係る第１の発明〜第７の発明の目的は、サイズの異なる原稿が混載された原稿束から順次給送される原稿画像を読取ってレイアウト出力する際に、原稿サイズを考慮して読み込んだ原稿の出力順序とレイアウト出力順序とを変更して出力することにより、サイズの異なる原稿が混載された状態で順次読み取られる場合でも、同サイズ毎に出力順序が変更されてレイアウトされた出力を容易に得ることができる画像処理装置および画像処理装置のレイアウト処理方法を提供することである。
【０００６】
【課題を解決するための手段】
本発明に係る第１の発明は、サイズの異なる複数枚の原稿が混載された各原稿を順次読取り位置に給送可能な原稿給送手段と、前記原稿給送手段から給送される原稿枚数および原稿サイズを検知する原稿検知手段と、前記原稿給送手段から給送される原稿を読み取る画像読取り手段と、前記画像読取り手段が読み取った原稿画像情報を記憶する第１の記憶手段と、前記第１の記憶手段に記憶された各原稿画像情報に基づいて記録媒体に画像を出力する画像出力手段と、前記第１の記憶手段に記憶された所定数の原稿画像を選択される記録媒体のサイズに応じて確保されるレイアウト領域に展開させるレイアウトモードを設定する第１の設定手段と、前記原稿給送手段からサイズの異なる原稿を給送する原稿混載モードを設定する第２の設定手段と、前記第１および第２の設定手段により前記原稿混載モードおよび前記レイアウトモードが設定された場合に、前記原稿検知手段が検知した各原稿サイズの順番を記憶する第２の記憶手段と、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定手段と、前記決定手段により決定された前記レイアウトに基づいて前記第１の記憶手段から読み出される各原稿画像情報の出力順序を変更して前記画像出力手段に出力する制御手段とを有するものである。
【０００７】
本発明に係る第２の発明は、前記制御手段は、前記第２の記憶手段に記憶された前記各原稿サイズの順番を同サイズ毎に切り分けた出力順序に変更するものである。
【０００８】
本発明に係る第３の発明は、前記制御手段は、前記第２の記憶手段に記憶された前記各原稿サイズの順番を同サイズ毎に切り分けた際に、サイズの区切りに応じて前記画像出力手段がレイアウト出力するページを変更するものである。
【０００９】
本発明に係る第４の発明は、前記制御手段は、前記第２の記憶手段に記憶された前記各原稿サイズの順番を同サイズ毎のグループに切り分けた際に、隣接するページ間でサイズが異なる区切り位置に対応して空白エリアを挿入するものである。
【００１０】
本発明に係る第５の発明は、前記制御手段は、前記第２の記憶手段に記憶された前記各原稿サイズの順番を同サイズ毎のグループに切り分けた際に、いずれかの一方のグループに対して隣接するページ間でサイズが異なる区切り位置に対応して空白エリアを挿入するものである。
【００１１】
本発明に係る第６の発明は、前記制御手段は、前記第２の記憶手段に記憶された前記各原稿サイズの順番を同サイズ毎のグループに切り分けた際に、隣接するページ間でサイズが異なる区切り位置に応じて前記画像出力手段がレイアウト出力するページを変更するものである。
【００１２】
本発明に係る第７の発明は、サイズの異なる複数枚の原稿が混載された各原稿を順次読取り位置に給送可能な原稿給送手段と、前記原稿給送手段から給送される原稿枚数および原稿サイズを検知する原稿検知手段と、前記原稿給送手段から給送される原稿を読み取る画像読取り手段と、前記画像読取り手段が読み取った原稿画像情報を記憶する第１の記憶手段と、前記第１の記憶手段に記憶された各原稿画像情報に基づいて記録媒体に画像を出力する画像出力手段と、前記原稿検知手段が検知した各原稿サイズの順番を記憶する第２の記憶手段とを有する画像処理装置のレイアウト処理方法において、前記第１の記憶手段に記憶された所定数の原稿画像を選択される記録媒体のサイズに応じて確保されるレイアウト領域に展開させるレイアウトモードを設定する第１の設定工程と、前記原稿給送手段からサイズの異なる原稿を給送する原稿混載モードを設定する第２の設定工程と、前記原稿混載モードおよび前記レイアウトモードが設定された場合に、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定工程と、該決定された前記レイアウトに基づいて前記第１の記憶手段から読み出される各原稿画像情報の出力順序を変更して前記画像出力手段に出力する出力工程とを有するものである。
【００１３】
【発明の実施の形態】
〔第１実施形態〕
図１は、本発明を適用可能な画像処理装置の構成を説明する概略断面図であり、以下、構成および動作について説明する。
【００１４】
図において、後述する操作部に設けられるコピースタートキーが押されると、原稿給送装置（フィーダ）１に載置された原稿を原稿台ガラス２面上に給送し、スキャナ３のランプが点灯し、かつ、スキャナユニット４が移動して原稿を照射する。原稿の反射光は、ミラー５，６，７を介してレンズ８を通過し、その後イメージセンサ部９に入力される。イメージセンサ部９に入力された画像は、後述する図２に示すＣＰＵ回路部１０７により制御される信号によって処理され、直接、露光制御部１０に入力され、あるいは一旦後述する図２に示す画像メモリ１０５に記憶され、画像メモリ内で処理が行われ再び読み出された後、露光制御部１０に入力される。
【００１５】
そして、露光制御部１０にて光信号に変換され、画像信号に従って変調されて、感光体１１を照射する。この照射によって感光体１１上に作られた潜像は現像器１２あるいは現像器１３によって現像され、転写帯電器１６により給紙カセット１４または１５より給送される被転写紙に転写される。そして、被転写紙に転写されたトナー像は、定着部１７にて被転写紙に定着され、排紙センサ１９を通過した後、排紙部１８より装置外部に排出される。また、両面時にはフラッパ２１により、両面搬送部２２，２３，２４へと搬送される。
【００１６】
図２は、本発明の第１実施形態を示す画像処理装置の制御構成を説明するブロック図である。
【００１７】
図において、１０１は画像読取部で、原稿画像の反射光を入力する光学系，光学系からの反射光をアナログ信号に変換するＣＣＤおよび前記ＣＣＤから受け取ったアナログ信号をデジタル信号（画像データ）に変換するＡ／Ｄコンバータ等から構成され、原稿画像を読み取り、読み取った画像データを画像処理部１０２に送出する。
【００１８】
画像処理部１０２はシェーディング補正回路，光色濃度変換回路およびユーザの指示に基づいて画像の変倍，移動，装飾等の編集を行う画像編集回路などから構成され、画像読取部１０１より入力した画像データを補正および編集し、画像データセレクタ１０３を通り画像記録部１０４あるいは画像記憶用の画像メモリ１０５に送出される。
【００１９】
画像データセレクタ１０３は画像処理部１０２より送出された画像データを画像記録部１０４に送出するパスと、画像処理部１０２より送出されたデータを画像メモリ１０５に送出するパスとを、後述するＣＰＵ回路部１０７の指示により、切り換えるデータバス切り換え回路および画像処理部１０２より送られた画像データと画像メモリ１０５より読み出された画像データの切り換えあるいは合成を行う回路などから構成される。
【００２０】
画像記録部１０４は画像データセレクタ１０３より送られた画像データの濃度信号に基づいて記録紙に画像を記録（複写）する。
【００２１】
なお、ＣＰＵ回路部１０７は本装置全体の制御を行うもので、制御プログラム，エラー処理プログラム，レイアウト方式決定プログラム等を格納するＲＯＭと、各種のプログラムのワークエリア等のために使用されるＲＡＭと、各種タイマ制御部等を有して構成されている。
【００２２】
１０６は操作部で、画像処理部１０２に対する画像編集内容，コピー枚数，変倍率などの画像複写動作等を指示する各種キー群と、操作時の内容を表示する表示部などを有している。
【００２３】
１０８はフィーダで、フィーダコピーが選択された場合には載置された原稿を原稿台上に給送したり、載置された原稿の枚数や、サイズを検知しＣＰＵ回路部１０７に信号を送る。
【００２４】
以下、本実施形態と第１〜第６の発明の各手段との対応及びその作用について図２等を参照して説明する。
【００２５】
第１の発明は、サイズの異なる複数枚の原稿が混載された各原稿を順次読取り位置に給送可能な原稿給送手段（フィーダ１０８）と、前記原稿給送手段から給送される原稿枚数および原稿サイズを検知する原稿検知手段（フィーダ１０８内に設けられる）と、前記原稿給送手段から給送される原稿を読み取る画像読取り手段（画像読取部１０１）と、前記画像読取り手段が読み取った原稿画像情報を記憶する第１の記憶手段（画像メモリ１０５）と、前記第１の記憶手段に記憶された各原稿画像情報に基づいて記録媒体に画像を出力する画像出力手段（画像記録部１０４）と、前記第１の記憶手段に記憶された所定数の原稿画像を選択される記録媒体のサイズに応じて確保されるレイアウト領域に展開させるレイアウトモードを設定する第１の設定手段（操作部１０６のキー５０４０（図３に示す））と、前記原稿給送手段からサイズの異なる原稿を給送する原稿混載モードを設定する第２の設定手段（操作部１０６のキー５０５０（図３に示す））と、前記第１および第２の設定手段により前記原稿混載モードおよび前記レイアウトモードが設定された場合に、前記原稿検知手段が検知した各原稿サイズの順番を記憶する第２の記憶手段（ＣＰＵ回路部１０７のＲＡＭ上）と、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定手段（ＣＰＵ回路部１０７がＲＯＭに記憶された制御プログラムに基づいて決定処理する）と、前記決定手段により決定された前記レイアウトに基づいて前記第１の記憶手段から読み出される各原稿画像情報の出力順序を変更して前記画像出力手段に出力する制御手段（ＣＰＵ回路部１０７がＲＯＭに記憶された制御プログラムに基づいて出力処理する）とを有するので、操作部１０６のキー５０４０，５０５０により前記原稿混載モードおよび前記レイアウトモードが設定された場合に、フィーダ１０８上で検知した各原稿サイズと選択される記録媒体サイズとＲＡＭに記憶される各原稿サイズの順番とに基づいてＣＰＵ回路部１０７が設定されるレイアウト領域に対する各原稿画像のレイアウトを決定し、該決定された前記レイアウトに基づいて画像メモリ１０５から読み出される各原稿画像情報の出力順序を変更して画像記録部１０４に出力するので、サイズの異なる原稿が混載された状態で原稿が給送される際のレイアウトモード実行時に、読取り順とは異なる順序で同サイズ毎に整然と見栄えよくレイアウトされた出力を得ることができる。
【００２６】
第２の発明は、ＣＰＵ回路部１０７は、上記ＲＡＭに記憶された前記各原稿サイズの順番を同サイズ毎に切り分けた出力順序に変更するので、サイズの異なる原稿が混載された状態で原稿が給送される際のレイアウトモード実行時に、読取り順とは異なる順序で同サイズの原稿が密に詰めらた状態でレイアウトされた出力を得ることができる。
【００２７】
第３の発明は、ＣＰＵ回路部１０７は、上記ＲＡＭに記憶された前記各原稿サイズの順番を同サイズ毎に切り分けた際に、サイズの区切りに応じて前記画像出力手段がレイアウト出力するページを変更するので、サイズの異なる原稿が混載された状態で原稿が給送される際のレイアウトモード実行時に、読取り順とは異なる順序で同サイズの原稿が密に詰めらた状態で、かつ異なるサイズとは別のページに分離するようにレイアウトされた出力を得ることができる。
【００２８】
第４の発明は、ＣＰＵ回路部１０７は、上記ＲＡＭに記憶された前記各原稿サイズの順番を同サイズ毎のグループに切り分けた際に、隣接するページ間でサイズが異なる区切り位置に対応して空白エリアを挿入するので、サイズの異なる原稿が混載された状態で原稿が給送される際のレイアウトモード実行時に、読取り順とは異なる順序で原稿サイズが異同する区切りに空白を挿入した状態でレイアウトされた出力を得ることができ、空白エリアに原稿サイズが異なる原稿を読み込んでいることを認識することもできる。
【００２９】
第５の発明は、ＣＰＵ回路部１０７は、上記ＲＡＭに記憶された前記各原稿サイズの順番を同サイズ毎のグループに切り分けた際に、いずれかの一方のグループに対して隣接するページ間でサイズが異なる区切り位置に対応して空白エリアを挿入するので、サイズの異なる原稿が混載された状態で原稿が給送される際のレイアウトモード実行時に、読取り順とは異なる順序で原稿サイズが異同する区切りに空白を挿入した状態でレイアウトされた出力を得ることができ、空白エリアに原稿サイズが異なる原稿を読み込んでいることをグループ別に認識することもできる。
【００３０】
第６の発明は、ＣＰＵ回路部１０７は、上記ＲＡＭに記憶された前記各原稿サイズの順番を同サイズ毎のグループに切り分けた際に、隣接するページ間でサイズが異なる区切り位置に応じて画像記録部１０４がレイアウト出力するページを変更するので、サイズの異なる原稿が混載された状態で原稿が給送される際のレイアウトモード実行時に、読取り順とは異なる順序で異同するサイズ毎に区切られた状態で、かつ異なるサイズとは別のページに分離するようにレイアウトされた出力を得ることができる。
【００３１】
図３は、図２に示した操作部１０６の構成を説明する平面図である。
【００３２】
図において、５００１は電源スイッチで、画像形成装置への通電を制御する。５００２はリセットキーで、スタンバイ中は標準モードに復帰させるキーとして動作する。５００３はコピースタートキーである。５００４はクリアキーであり、数値をクリアするときに用いる。５００５はＩＤキーであり、このＩＤキー５００５により特定の操作者に対して複写動作を可能にし、上記以外の操作者に対しては、ＩＤキー５００５によりＩＤ情報を入力しない限り複写動作を禁止することが可能となる。５００６はストップキーであり、コピーを中断したり、中止したりするときに用いるキーである。５００７はガイドキーであり、各機能を知りたいときに用いるキーである。
【００３３】
５００８は上カーソルキーであり、各機能設定画面においてポインタを上に移動させるキーである。５００９は下カーソルキーであり、各機能設定画面においてポインタを下に移動させるキーである。５０１０は右カーソルキーであり、各機能設定画面においてポインタを右に移動させるキーである。５０１１は左カーソルキーであり、各機能設定画面においてポインタを左に移動させるキーである。
【００３４】
５０１２はＯＫキーであり、各機能設定画面において、これで良い場合にこのキーを押し、機能を確定させる。５０１３は各機能設定画面において、５０５２の画面の右下に表示出力されたことを実行するときにこのキーを押す。５０１４は定形縮小キーであり、定形サイズを他の定形サイズに縮小するときに使用する、５０１５は等倍コピーを選択する時に使用する。５０１６は定形拡大キーであり、定形サイズを他の定形サイズに拡大するときに使用する。５０１７はカセット選択キーであり、コピーするカセット段の用紙を選択する。
【００３５】
５０１８はコピー濃度調整キーであり、コピー濃度を薄くしたいときに使用する、５０１９はＡＥキーであり、原稿の濃度に対してコピー濃度を自動的に調整するキーである。５０２０はコピー濃度調整キーであり、コピー濃度を濃くしたい時に使用する。５０２１はソータの動作を指定するキーである。５０２２は予熱キーであり、予熱モードのＯＮ／ＯＦＦに使用する。５０２３は、割り込みキーであり、コピー中に割り込みしてコピーを行いたい時に押す。
【００３６】
５０２４はテンキーであり、数値の入力を行う時に使用する。５０２５はマーカ処理キーであり、トリミング，マスキング，部分処理（輪郭処理，網処理，影つけ処理，ネガポジ処理）を設定する。５０２６はパターン化処理キーであり、色をパターン化して表現したり、色を濃度差で表現したりするときに使用する。５０２７は色消去キーであり、特定色を消去したいときに使用する。
【００３７】
５０２８は画質キーであり、画質の設定を行いたいときに使用する。５０２９はネガポジキーであり、ネガポジ処理を行うときに使用する。５０３０はイメージクリエイトキーであり、輪郭処理，影つけ処理，網処理，斜体，ミラー処理，リピート処理を行うときに使用する。
【００３８】
５０３１はトリミングキーであり、エリアを指定し、トリミングをするときに使用する。５０３２は、マスキングキーであり、エリアを指定し、マスキングをするときに使用する。５０３３は部分処理キーであり、エリアを指定し、その後、部分処理（輪郭処理，網処理，影つけ処理，ネガポジ処理）を設定する。
【００３９】
５０３４は枠消しキーであり、モードに合わせて枠消しを行うときに使用する。
【００４０】
モードはシート枠消しモード（シートサイズに対して枠を作成するモード），原稿枠消しモード（原稿サイズに合わせて枠を作成するモードで、原稿サイズ指定有りのモード），ブック枠消しモード（ブックの見開きサイズに合わせて枠と中央に空白を作成するモードで、ブック見開きサイズ指定有りのモード），パンチ穴消しモード（穴消し幅設定有りモード）がある。
【００４１】
５０３５は綴じ代キーであり、用紙の一端（上下左右）に綴じ代を作成したいときに使用する。５０３６は、移動キーであり、移動を行いたい時に使用する。移動には、平行移動（上下左右），センタ移動，コーナ移動，指定移動（ポイント指定）がある。５０３７はズームキーであり、複写倍率を２５％〜４００％まで、１％刻みで設定できる。また、主走査，副走査を独立に設定できる。５０３８はオート変倍キーであり、複写紙のサイズに合わせて自動的に拡大縮小する。また、主走査，副走査を独立にオート変倍できる。
【００４２】
５０３９は拡大連写キーであり、１枚の原稿を複数枚に拡大して複写を行うときに使用する。５０４０は縮小レイアウトキーであり、複数の原稿を１枚に縮小した複写を行うときに使用する。（本実施形態では、この縮小レイアウトモードをレイアウトモードとしている。）４枚の原稿を１枚にする場合には、４ｉｎ１であり、２枚の原稿を１枚にする場合には２ｉｎ１である。
【００４３】
５０４３は連写キーであり、原稿台ガラス面上の複写領域を左右に２分割し、自動的に２枚のコピーをする連続複写を行いたい時に使用する（ページ連写，両面連写）。５０４４は両面キーであり、両面の出力を行いたいときに使用する（片面両面，ページ連写両面，両面両面）。５０４５は多重キーであり、多重を行いたいときに使用する（多重，ページ連写多重）。５０４６はメモリキーであり、メモリを使用したモードを行いたい時に使用する（メモリ合成，エリア合成，透かし合成）。
【００４４】
５０４７はプロジェクタキーであり、プロジェクタを利用するときに使用する。５０４８はプリンタキーであり、プリンタ時の設定を行うときに使用する。５０５０は原稿混載キーでありフィーダを使用してコピーを行う場合に原稿のサイズが異なっている場合（幅は、同じ）に使用する。５０５１はモードメモリキーであり、設定された複写モードを登録するため、登録された複写モードを呼び出す時に使用する。５０５２は表示画面であり、装置の状態，複写枚数，複写倍率，複写用紙サイズなどを表示し、複写モード設定中では、設定する内容を表示する。
【００４５】
図４は、本発明に係る画像処理装置における第１の原稿混載縮小レイアウト出力形態を示す図であり、通常の４ｉｎ１出力に対応する。
【００４６】
図において、（ａ）は混載される原稿に対応し、原稿Ｐ１〜Ｐ１１がこの順序に給送される。なお、原稿Ｐ１〜Ｐ３，Ｐ５，Ｐ６，Ｐ９は原稿サイズが「Ａ４」で、原稿Ｐ４，Ｐ７，Ｐ８，Ｐ１０，Ｐ１１は原稿サイズが「Ａ３」とする。
【００４７】
（ｂ）は、（ａ）に示した原稿を、例えばＡ３サイズの用紙に上記原稿Ｐ１〜Ｐ１１を縮小レイアウト出力ＬＡＹ１〜ＬＡＹ５として４ｉｎ１で分割出力した状態に対応し、図中の原稿Ｐ１′〜Ｐ１１′は原稿Ｐ１〜Ｐ１１の縮小画像に対応する。特に、この例では、原稿順に縮小レイアウトする際に、ページ領域に収まらない原稿の場合は、原稿サイズの境界で改ページして出力する場合に対応する。
【００４８】
図５は、第１の原稿混載縮小レイアウト出力形態を示す図であり、原稿サイズ統一による４ｉｎ１出力に対応する。
【００４９】
図において、（ａ）は混載される原稿に対応し、原稿Ｐ１〜Ｐ１１がこの順序に給送される。なお、原稿Ｐ１〜Ｐ３，Ｐ５，Ｐ６，Ｐ９は原稿サイズが「Ａ４」で、原稿Ｐ４，Ｐ７，Ｐ８，Ｐ１０，Ｐ１１は原稿サイズが「Ａ３」とする。
【００５０】
（ｂ）は、（ａ）に示した原稿を、例えばＡ３サイズの用紙に上記原稿Ｐ１〜Ｐ１１を縮小レイアウト出力ＬＡＹ１〜ＬＡＹ５として４ｉｎ１で分割出力した状態に対応し、図中の原稿Ｐ１′〜Ｐ１１′は原稿Ｐ１〜Ｐ１１の縮小画像に対応する。特に、この例では、原稿順に縮小レイアウトする際に、ＣＰＵ回路部１０７のＲＡＭに記憶された原稿サイズ順番、すなわち、（ａ）に示す原稿Ｐ１〜Ｐ１１によれば、Ａ４，Ａ４，Ａ４，Ａ３，Ａ４，Ａ４，Ａ３，Ａ３，Ａ４，Ａ３，Ａ３を記憶しておき、小さいサイズと大きいサイズとを切り分け、例えば小さいサイズが先頭になるようにＣＰＵ回路部１０７がレイアウトすると、（ｂ）に示す縮小レイアウト出力ＬＡＹ１〜ＬＡＹ５が得られる。また、この際、ＣＰＵ回路部１０７はサイズの区切りに応じて出力ページを変更するため、縮小レイアウト出力ＬＡＹ２では下段側が空き領域となって出力される。
【００５１】
以下、図６および図７，図８を参照してさらに本発明に係る画像処理装置における原稿混載レイアウト処理動作について説明する。
【００５２】
図６は、本発明に係る画像処理装置における原稿混載レイアウト処理時の出力レイアウト例を示す図である。
【００５３】
この図に示すように、ａ〜ｄの各縮小領域に読み込まれた原稿画像がレイアウトされる。
【００５４】
図７，図８は、本発明に係る画像処理装置における第１の原稿混載レイアウト処理手順の一例を示すフローチャートである。なお、（１）〜（２５）は各ステップを示す。また、図７，図８のフローチャートに用いる「ａ％ｂ」は「ａ」を「ｂ」で割った余りを示す。
【００５５】
まず、ステップ（１）でフィーダ１０８から原稿を１枚最終ページから原稿台上に給送する。次に、ステップ（２）では給送した原稿のサイズを検知する。次に、ステップ（３）では原稿の順番およびサイズをバッファにセットする。次に、ステップ（４）ではスキャナで原稿をスキャンし、画像を画像メモリ１０５に記憶する。次に、ステップ（５）では原稿を排出する。
【００５６】
次に、ステップ（６）では排出した原稿が最後の用紙（先頭ページ）かどうかを判断し、最後の用紙（先頭ページ）であると判定した場合にはステップ（７）に進み、原稿がまだ存在すると判定した場合にはステップ（１）に戻る。
【００５７】
ステップ（７）では、ステップ（１）〜（５）までに読み込んだ各原稿画像情報を、ＣＰＵ回路部１０７上のバッファに記憶した原稿サイズ別に，順番をソートする。そして、サイズの並びでの枚数，サイズ別枚数も記憶しておく。そして、ステップ（８）に進み、ＣＰＵ回路部１０７のＲＡＭ上に確保されるラージサイズ枚数バッファをリードし、その値ＬａｒｇｅＮｕｍが「０」かどうかを判定し、「０」枚のときにはステップ（１５）に進み、それ以外の場合にはステップ（９）に進む。ステップ（９）では記憶されているラージサイズ画像をラージサイズ枚数バッファに対応した画像メモリ１０５から取り込んできてステップ（１０）に進み、ラージサイズが何枚あるかをみて奇数枚あると判定した場合には、ステップ（１１）で、ステップ（９）で取り込んだ画像を出力領域のａｂ領域（図６参照）にレイアウトし、ステップ（１２）に進み、今レイアウトした画像を出力し、ステップ（１４）に進む。
【００５８】
一方、ステップ（１０）で、ラージサイズの原稿枚数が偶数枚であると判定した場合にはステップ（１３）に進み、ステップ（９）で取り込んだ画像を出力領域のｃｄ領域にレイアウトし、ステップ（１４）に進み、ラージサイズ枚数バッファを「１」減算し、ステップ（８）に戻る。
【００５９】
一方、ステップ（８）でラージサイズの原稿枚数が「０」枚と判定された場合には、ステップ（１５）へ進み、スモールサイズ枚数が「０」枚であるか（ＳｍａｌｌＮｕｍ＝０）どうかを判定し、スモールサイズ枚数が「０」枚と判定され場合には処理を終了し、それ以外の時にはステップ（１６）に進み、画像メモリ１０５に記憶されているスモールサイズ画像をスモールサイズ枚数バッファに対応した画像メモリから取り込んできてステップ（１７）に進み、スモールサイズ枚数バッファの値を「４」で割った余りが「０」かどうかを判定し、ＹＥＳならばステップ（１８）に進み、ステップ（１６）で読み込んできた画像を出力領域のｄ領域にレイアウトし、ステップ（２５）以降に進む。
【００６０】
一方、ステップ（１７）で余りが「０」以外であると判定された場合には、ステップ（１９）に進み、スモールサイズ枚数バッファを「４」で割った余りが「３」かどうかを判定し、ＹＥＳならばステップ（２０）に進み、ステップ（１６）で読み込んできた画像を出力領域のｃ領域にレイアウトし、ステップ（２５）以降に進む。
【００６１】
一方、ステップ（１９）で余りが「３」以外のときにはステップ（２１）に進み、スモールサイズ枚数バッファの値を「４」で割った余りが「２」かどうかを判定し、ＹＥＳならばステップ（２２）に進み、ステップ（１６）で読み込んできた画像を出力領域のｂ領域にレイアウトし、ステップ（２５）以降に進む。
【００６２】
一方、ステップ（２１）で余りが「２」以外と判定された場合には、ステップ（２３）に進み、ステップ（１６）で読み込んできた画像を出力領域のａ領域にレイアウトし、ステップ（２４）に進み、レイアウトした画像を画像記録部１０４から出力する。次に、ステップ（２５）に進み、スモールサイズ枚数バッファの値から「１」を減算して、ステップ（１５）に戻る。
【００６３】
これにより、図５の（ｂ）に示したようなレイアウト出力を得ることができる。
【００６４】
〔第２実施形態〕
図９は、本発明の第２実施形態を示す画像処理装置における第２の原稿混載縮小レイアウト出力形態を示す図であり、原稿サイズ統一による４ｉｎ１出力に対応する。
【００６５】
図において、（ａ）は混載される原稿に対応し、原稿Ｐ１〜Ｐ１１がこの順序に給送される。なお、原稿Ｐ１〜Ｐ３，Ｐ５，Ｐ６，Ｐ９は原稿サイズが「Ａ４」で、原稿Ｐ４，Ｐ７，Ｐ８，Ｐ１０，Ｐ１１は原稿サイズが「Ａ３」とする。
【００６６】
（ｂ）は、（ａ）に示した原稿を、例えばＡ３サイズの用紙に上記原稿Ｐ１〜Ｐ１１を縮小レイアウト出力ＬＡＹ１〜ＬＡＹ５として４ｉｎ１で分割出力した状態に対応し、図中の原稿Ｐ１′〜Ｐ１１′は原稿Ｐ１〜Ｐ１１の縮小画像に対応する。特に、この例では、原稿順に縮小レイアウトする際に、ＣＰＵ回路部１０７のＲＡＭに記憶された原稿サイズ順番、すなわち、（ａ）に示す原稿Ｐ１〜Ｐ１１によれば、Ａ４，Ａ４，Ａ４，Ａ３，Ａ４，Ａ４，Ａ３，Ａ３，Ａ４，Ａ３，Ａ３を記憶しておき、小さいサイズと大きいサイズの束で１つのグループとし、グループの区切り、ページの切り換え以外の所、すなわち、いずれかの一方のグループに対して隣接するページ間でサイズが異なる区切り位置ＤＩＶ１〜ＤＩＶ５に対応して空白エリアを挿入して出力する場合に対応する。これにより、縮小レイアウト出力ＬＡＹ１では４ページ目が空き領域となって、縮小レイアウト出力ＬＡＹ２では７ページ目が空き領域となって、縮小レイアウト出力ＬＡＹ３では５ページ目が空き領域となって出力される。
【００６７】
図１０，図１１は、本発明に係る画像処理装置における第２の原稿混載レイアウト処理手順の一例を示すフローチャートである。なお、（１）〜（２４）は各ステップを示す。
【００６８】
まず、ステップ（１）で原稿をスキャンし、原稿の画像を画像メモリに記憶する原稿読取り処理（図７のステップ（１）〜（７））を実行する。
【００６９】
次に、ステップ（２）ではラージサイズの束が何束有るかのバッファをリードして、ラージサイズ束数（Ｌａｒｇｅ  ）が「０」かどうかを判定し、束数が「０」と判定した場合には、ステップ（１１）に進み、それ以外の場合には、ステップ（３）に進み、ラージサイズ束毎のラージサイズ枚数バッファをリードし、ラージサイズ枚数（ＬａｒｇｅＮｕｍ  ）が「０」枚かどうかを判定し、ＹＥＳならばステップ（１０）に進み、ラージサイズ束数を「１」減算し、ステップ（２）に戻る。
【００７０】
一方、ステップ（３）でラージサイズ枚数が「０」以外であると判定された場合にはステップ（４）に進み、対応するラージサイズ束のラージサイズ原稿の画像データを読み出し、ステップ（５）に進み、ラージサイズ枚数ＬａｒｇｅＮｕｍが奇数であるかどうかを判定し、ＹＥＳの場合にはステップ（７）に進み、図６に示した領域ａｂにステップ（４）でリードしてきた画像をレイアウトして、ステップ（８）に進み、レイアウトされた画像を出力し、ステップ（９）に進み、ラージサイズ枚数ＬａｒｇｅＮｕｍを「１」減算し、ステップ（３）に戻る。
【００７１】
一方、ステップ（５）でラージサイズ枚数ＬａｒｇｅＮｕｍが奇数でないと判定された場合には、ステップ（６）で図６に示した領域ｃｄにステップ（４）でリードしてきた画像をレイアウトして、ステップ（９）へ進む。
【００７２】
一方、ステップ（２）で、ラージサイズ束の数が「０」であると判定された場合には、ステップ（１１）へ進み、スモールサイズ全体の画像数ＳｍａｌｌＮｕｍと、スモールサイズ束毎の余白をどれだけ作成するかを計算し、バッファに記憶するとともに、余白作成するかどうかもチェックする。次に、ステップ（１２）に進み、ステップ（１１）で記憶したバッファの内容、すなわち、ＳｍａｌｌＮｕｍをリードし、その値が「０」かどうかを判定し、ＹＥＳならば処理をそのまま終了する。
【００７３】
一方、ステップ（１２）でＳｍａｌｌＮｕｍの値が「０」以外と判定された場合には、ステップ（１３）に進み、今度レイアウトする領域が余白領域か画像領域かを判断し、余白を作成すると判定した場合にはステップ（１４）に進み、レイアウトする画像をクリア（余白リード）して、ステップ（１６）に進む。
【００７４】
一方、ステップ（１３）で画像をレイアウトすると判定された場合には、ステップ（１５）に進み、対応する画像を読み出してステップ（１６）に進み、スモールサイズ枚数バッファの値を「４」で割ったときの余り（ＳｍａｌｌＮｕｍ％４）が「０」かどうかを判定し、ＹＥＳの場合には、ステップ（１７）に進み、読み込んできた画像を出力領域の領域ｄにレイアウトして、ステップ（２４）に進む。
【００７５】
一方、ステップ（１６）で余りが「０」でないと判定された場合には、ステップ（１８）に進み、スモールサイズ枚数バッファの値を「４」で割ったときの余り（ＳｍａｌｌＮｕｍ％４）が「３」かどうかを判定し、ＹＥＳの場合には、ステップ（１９）に進み、読み込んできた画像を出力領域の領域ｃにレイアウトして、ステップ（２４）に進む。
【００７６】
一方、ステップ（１８）で余りが「３」でないと判定された場合には、ステップ（２０）に進み、スモールサイズ枚数バッファの値を「４」で割ったときの余り（ＳｍａｌｌＮｕｍ％４）が「２」かどうかを判定し、ＹＥＳの場合には、ステップ（２１）に進み、読み込んできた画像を出力領域の領域ｂにレイアウトして、ステップ（２４）に進む。
【００７７】
一方、ステップ（２０）で余りが「２」でないと判定された場合には、ステップ（２２）に進み、読み込んできた画像を出力領域の領域ａにレイアウトして、ステップ（２３）に進み、レイアウトされた画像を出力し、ステップ（２４）に進み、スモールサイズ枚数を「１」減算し、ステップ（１２）に戻る。
【００７８】
これにより、図９の（ｂ）に示した原稿混載４ｉｎ１レイアウト出力を得ることができる。
【００７９】
〔第３実施形態〕
図１２は、本発明の第３実施形態を示す画像処理装置における第３の原稿混載縮小レイアウト出力形態を示す図であり、原稿サイズ統一による４ｉｎ１出力に対応する。
【００８０】
図において、（ａ）は混載される原稿に対応し、原稿Ｐ１〜Ｐ１１がこの順序に給送される。なお、原稿Ｐ１〜Ｐ３，Ｐ５，Ｐ６，Ｐ９は原稿サイズが「Ａ４」で、原稿Ｐ４，Ｐ７，Ｐ８，Ｐ１０，Ｐ１１は原稿サイズが「Ａ３」とする。
【００８１】
（ｂ）は、（ａ）に示した原稿を、例えばＡ３サイズの用紙に上記原稿Ｐ１〜Ｐ１１を縮小レイアウト出力ＬＡＹ１〜ＬＡＹ５として４ｉｎ１で分割出力した状態に対応し、図中の原稿Ｐ１′〜Ｐ１１′は原稿Ｐ１〜Ｐ１１の縮小画像に対応する。特に、この例では、原稿順に縮小レイアウトする際に、ＣＰＵ回路部１０７のＲＡＭに記憶された原稿サイズ順番、すなわち、（ａ）に示す原稿Ｐ１〜Ｐ１１によれば、Ａ４，Ａ４，Ａ４，Ａ３，Ａ４，Ａ４，Ａ３，Ａ３，Ａ４，Ａ３，Ａ３を記憶しておき、小さいサイズ束のみ空白を挿入して出力する場合に対応する。これにより、縮小レイアウト出力ＬＡＹ１では４ページ目が空き領域となって、縮小レイアウト出力ＬＡＹ２では７ページ目が空き領域となって、縮小レイアウト出力ＬＡＹ５では下段が空き領域となって出力される。
【００８２】
図１３は、本発明に係る画像処理装置における第３の原稿混載レイアウト処理手順の一例を示すフローチャートである。なお、（１）〜（４）は各ステップを示す。
【００８３】
まず、ステップ（１）で原稿をスキャンし、原稿の画像を画像メモリ１０５に記憶する原稿読取り処理（図７のステップ（１）〜（７））を実行する。
【００８４】
次に、ステップ（２）ではラージサイズの束が何束有るかのバッファをリードして、ラージサイズ束数が「０」かどうかを判定し、束数が「０」と判定した場合には、ステップ（３）に進み、図１１に示したステップ（１１）〜（２４）の第１のレイアウト処理を実行し、それ以外の場合には、ステップ（４）に進み、図７に示したステップ（９）〜（１４）の第２のレイアウト処理を実行する。
【００８５】
これにより、図１２の（ｂ）に示すレイアウト出力を得ることができる。
【００８６】
〔第４実施形態〕
図１４は、本発明の第４実施形態を示す画像処理装置における第４の原稿混載縮小レイアウト出力形態を示す図であり、原稿サイズ統一による４ｉｎ１出力に対応する。
【００８７】
図において、（ａ）は混載される原稿に対応し、原稿Ｐ１〜Ｐ１１がこの順序に給送される。なお、原稿Ｐ１〜Ｐ３，Ｐ５，Ｐ６，Ｐ９は原稿サイズが「Ａ４」で、原稿Ｐ４，Ｐ７，Ｐ８，Ｐ１０，Ｐ１１は原稿サイズが「Ａ３」とする。
【００８８】
（ｂ）は、（ａ）に示した原稿を、例えばＡ３サイズの用紙に上記原稿Ｐ１〜Ｐ１１を縮小レイアウト出力ＬＡＹ１〜ＬＡＹ５として４ｉｎ１で分割出力した状態に対応し、図中の原稿Ｐ１′〜Ｐ１１′は原稿Ｐ１〜Ｐ１１の縮小画像に対応する。特に、この例では、原稿順に縮小レイアウトする際に、ＣＰＵ回路部１０７のＲＡＭに記憶された原稿サイズ順番、すなわち、（ａ）に示す原稿Ｐ１〜Ｐ１１によれば、Ａ４，Ａ４，Ａ４，Ａ３，Ａ４，Ａ４，Ａ３，Ａ３，Ａ４，Ａ３，Ａ３を記憶しておき、サイズの区切りと、小さいサイズと大きいサイズの束で１つのグループとしたグループ区切りでページを切り分けて出力する場合に対応する。これにより、縮小レイアウト出力ＬＡＹ１では４ページ目が空き領域となって、縮小レイアウト出力ＬＡＹ２では７ページ目が空き領域となって、縮小レイアウト出力ＬＡＹ３では１０ページ目が、縮小レイアウトＬＡＹ４では５ページ目が空き領域となって出力される。
【００８９】
図１５は、本発明に係る画像処理装置における第４の原稿混載レイアウト処理手順の一例を示すフローチャートである。なお、（１）〜（１６）は各ステップを示す。
【００９０】
まず、ステップ（１）で原稿をスキャンし、原稿の画像を画像メモリに記憶する原稿読取り処理（図７のステップ（１）〜（７））を実行する。
【００９１】
次に、ステップ（２）ではラージサイズの束（Ｌａｒｇｅ  ）が何束有るかのバッファをリードして、ラージサイズ束数が「０」かどうかを判定し、束数が「０」と判定した場合には、ステップ（４）に進み、それ以外の場合には、ステップ（３）に進み、図１０に示したステップ（４）〜（１０）の第３のレイアウト処理を実行する。
【００９２】
ステップ（４）ではスモール束数（Ｓｍａｌｌ  ）が「０」かどうかを判定し、ＹＥＳならば処理を終了し、ＮＯならばステップ（５）に進み、各束内のスモールサイズ画像枚数をセットし、ステップ（６）で記憶したバッファの内容、すなわち、ＳｍａｌｌＮｕｍをリードし、その値が「０」かどうかを判定し、ＹＥＳならばステップ（４）へ戻る。
【００９３】
一方、ステップ（６）でＳｍａｌｌＮｕｍの値が「０」以外と判定された場合には、ステップ（７）に進み、対応する画像を読み出してステップ（８）に進み、スモールサイズ枚数バッファの値を「４」で割ったときの余り（ＳｍａｌｌＮｕｍ％４）が「０」かどうかを判定し、ＹＥＳの場合には、ステップ（９）に進み、読み込んできた画像を出力領域の領域ｄにレイアウトして、ステップ（１６）に進む。
【００９４】
一方、ステップ（８）で余りが「０」でないと判定された場合には、ステップ（１０）に進み、スモールサイズ枚数バッファの値を「４」で割ったときの余り（ＳｍａｌｌＮｕｍ％４）が「３」かどうかを判定し、ＹＥＳの場合には、ステップ（１１）に進み、読み込んできた画像を出力領域の領域ｃにレイアウトして、ステップ（１６）に進む。
【００９５】
一方、ステップ（１０）で余りが「３」でないと判定された場合には、ステップ（１２）に進み、スモールサイズ枚数バッファの値を「４」で割ったときの余り（ＳｍａｌｌＮｕｍ％４）が「２」かどうかを判定し、ＹＥＳの場合には、ステップ（１３）に進み、読み込んできた画像を出力領域の領域ｂにレイアウトして、ステップ（１６）に進む。
【００９６】
一方、ステップ（１２）で余りが「２」でないと判定された場合には、ステップ（１４）に進み、読み込んできた画像を出力領域の領域ａにレイアウトして、ステップ（１５）に進み、レイアウトされた画像を出力し、ステップ（１６）に進み、スモールサイズ枚数を「１」減算し、ステップ（６）に戻る。
【００９７】
これにより、図１４の（ｂ）に示したレイアウト出力を得ることができる。
【００９８】
以下、各実施形態と第７の発明の各工程との対応及びその作用について図７，図８，図１０，図１１，図１３，図１５を参照して説明する。
【００９９】
第７の発明は、サイズの異なる複数枚の原稿が混載された各原稿を順次読取り位置に給送可能な原稿給送手段（フィーダ１０８）と、前記原稿給送手段から給送される原稿枚数および原稿サイズを検知する原稿検知手段と、前記原稿給送手段から給送される原稿を読み取る画像読取り手段（フィーダ１０８内に設けられる）と、前記画像読取り手段が読み取った原稿画像情報を記憶する第１の記憶手段（画像メモリ１０５）と、前記第１の記憶手段に記憶された各原稿画像情報に基づいて記録媒体に画像を出力する画像出力手段（画像記録部１０４）と、前記原稿検知手段が検知した各原稿サイズの順番を記憶する第２の記憶手段（ＣＰＵ回路部１０７のＲＡＭ上）とを有する画像処理装置のレイアウト処理方法において、前記第１の記憶手段に記憶された所定数の原稿画像を選択される記録媒体のサイズに応じて確保されるレイアウト領域に展開させるレイアウトモードを設定する第１の設定工程（図示しない前工程）と、前記原稿給送手段からサイズの異なる原稿を給送する原稿混載モードを設定する第２の設定工程（図示しない前工程）と、前記原稿混載モードおよび前記レイアウトモードが設定された場合に、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定する決定工程（図７，図８のステップ（８）〜（１１），（１３）〜（２３），（２５），図１０，図１１のステップ（２）〜（７），（９）〜（２２），（２４），図１３のステップ（２）〜（４），図１５のステップ（２）〜（１４），（１６））と、該決定された前記レイアウトに基づいて前記第１の記憶手段から読み出される各原稿画像情報の出力順序を変更して前記画像出力手段に出力する出力工程（図７，図８のステップ（１２），（２４），図１０，図１１のステップ（８），（２３），図１３のステップ（３），（４），図１５のステップ（３），（１５））とをＣＰＵ回路部１０７がＲＯＭ等に記憶された制御プログラムを実行して、サイズの異なる原稿が混載された状態で原稿が給送される際のレイアウトモード実行時に、読取り順とは異なる順序で同サイズの原稿が整然と見栄えよくレイアウトされた出力を得ることができる。
【０１００】
なお、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１０１】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１０２】
なお、上記各実施形態では、フィーダ１０８に混載された原稿の最下部の原稿から順次給送する場合について説明したが、原稿給送順序は先頭ページからであってもよいし、最終ページからであってもよい。また、原稿サイズと原稿サイズの順番の検知と原稿画像の読取りを並行して行う場合について説明したが、プリ給送してあらかじめ原稿サイズと原稿サイズの順番を検知しておき、原稿画像読取りを後続して行う構成であってもよい。
【０１０３】
【発明の効果】
以上説明したように、本発明に係る第１の発明によれば、第１および第２の設定手段により前記原稿混載モードおよび前記レイアウトモードが設定された場合に、前記原稿検知手段が検知した各原稿サイズと選択される記録媒体サイズと前記第２の記憶手段に記憶される各原稿サイズの順番とに基づいて決定手段が設定されるレイアウト領域に対する各原稿画像のレイアウトを決定し、該決定された前記レイアウトに基づいて制御手段が前記第１の記憶手段から読み出される各原稿画像情報の出力順序を変更して前記画像出力手段に出力するので、サイズの異なる原稿が混載された状態で原稿が給送される際のレイアウトモード実行時に、読取り順とは異なる順序で同サイズ毎に整然と見栄えよくレイアウトされた出力を得ることができる。
【０１０４】
第２の発明によれば、前記制御手段は、前記第２の記憶手段に記憶された前記各原稿サイズの順番を同サイズ毎に切り分けた出力順序に変更するので、サイズの異なる原稿が混載された状態で原稿が給送される際のレイアウトモード実行時に、読取り順とは異なる順序で同サイズの原稿が密に詰めらた状態でレイアウトされた出力を得ることができる。
【０１０５】
第３の発明によれば、前記制御手段は、前記第２の記憶手段に記憶された前記各原稿サイズの順番を同サイズ毎に切り分けた際に、サイズの区切りに応じて前記画像出力手段がレイアウト出力するページを変更するので、サイズの異なる原稿が混載された状態で原稿が給送される際のレイアウトモード実行時に、読取り順とは異なる順序で同サイズの原稿が密に詰めらた状態で、かつ異なるサイズとは別のページに分離するようにレイアウトされた出力を得ることができる。
【０１０６】
第４の発明によれば、前記制御手段は、前記第２の記憶手段に記憶された前記各原稿サイズの順番を同サイズ毎のグループに切り分けた際に、隣接するページ間でサイズが異なる区切り位置に対応して空白エリアを挿入するので、サイズの異なる原稿が混載された状態で原稿が給送される際のレイアウトモード実行時に、読取り順とは異なる順序で原稿サイズが異同する区切りに空白を挿入した状態でレイアウトされた出力を得ることができ、空白エリアに原稿サイズが異なる原稿を読み込んでいることを認識することもできる。
【０１０７】
第５の発明によれば、前記制御手段は、前記第２の記憶手段に記憶された前記各原稿サイズの順番を同サイズ毎のグループに切り分けた際に、いずれかの一方のグループに対して隣接するページ間でサイズが異なる区切り位置に対応して空白エリアを挿入するので、サイズの異なる原稿が混載された状態で原稿が給送される際のレイアウトモード実行時に、読取り順とは異なる順序で原稿サイズが異同する区切りに空白を挿入した状態でレイアウトされた出力を得ることができ、空白エリアに原稿サイズが異なる原稿を読み込んでいることをグループ別に認識することもできる。
【０１０８】
第６の発明によれば、前記制御手段は、前記第２の記憶手段に記憶された前記各原稿サイズの順番を同サイズ毎のグループに切り分けた際に、隣接するページ間でサイズが異なる区切り位置に応じて前記画像出力手段がレイアウト出力するページを変更するので、サイズの異なる原稿が混載された状態で原稿が給送される際のレイアウトモード実行時に、読取り順とは異なる順序で異同するサイズ毎に区切られた状態で、かつ異なるサイズとは別のページに分離するようにレイアウトされた出力を得ることができる。
【０１０９】
第７の発明によれば、前記原稿混載モードおよび前記レイアウトモードが設定された場合に、前記原稿検知手段が検知した各原稿サイズと選択される記録媒体サイズと前記第２の記憶手段に記憶される各原稿サイズの順番とに基づいて設定されるレイアウト領域に対する各原稿画像のレイアウトを決定し、該決定された前記レイアウトに基づいて前記第１の記憶手段から読み出される各原稿画像情報の出力順序を変更して前記画像出力手段に出力するので、サイズの異なる原稿が混載された状態で原稿が給送される際のレイアウトモード実行時に、読取り順とは異なる順序で同サイズの原稿が整然と見栄えよくレイアウトされた出力を得ることができる。
【０１１０】
従って、サイズの異なる原稿が混載された状態で順次読み取られる場合でも、同サイズ毎に出力順序が変更されてレイアウトされた出力を容易に得ることができる等の効果を奏する。
【図面の簡単な説明】
【図１】本発明を適用可能な画像処理装置の構成を説明する概略断面図である。
【図２】本発明の第１実施形態を示す画像処理装置の制御構成を説明するブロック図である。
【図３】図２に示した操作部の構成を説明する平面図である。
【図４】本発明に係る画像処理装置における第１の原稿混載縮小レイアウト出力形態を示す図である。
【図５】第１の原稿混載縮小レイアウト出力形態を示す図である。
【図６】本発明に係る画像処理装置における原稿混載レイアウト処理時の出力レイアウト例を示す図である。
【図７】本発明に係る画像処理装置における第１の原稿混載レイアウト処理手順の一例を示すフローチャートである。
【図８】本発明に係る画像処理装置における第１の原稿混載レイアウト処理手順の一例を示すフローチャートである。
【図９】本発明の第２実施形態を示す画像処理装置における第２の原稿混載縮小レイアウト出力形態を示す図である。
【図１０】本発明に係る画像処理装置における第２の原稿混載レイアウト処理手順の一例を示すフローチャートである。
【図１１】本発明に係る画像処理装置における第２の原稿混載レイアウト処理手順の一例を示すフローチャートである。
【図１２】本発明の第３実施形態を示す画像処理装置における第３の原稿混載縮小レイアウト出力形態を示す図である。
【図１３】本発明に係る画像処理装置における第３の原稿混載レイアウト処理手順の一例を示すフローチャートである。
【図１４】本発明の第４実施形態を示す画像処理装置における第４の原稿混載縮小レイアウト出力形態を示す図である。
【図１５】本発明に係る画像処理装置における第４の原稿混載レイアウト処理手順の一例を示すフローチャートである。
【符号の説明】
１０１  画像読取部
１０２  画像処理部
１０３  画像データセレクタ
１０４  画像記録部
１０５  画像メモリ
１０６  操作部
１０７  ＣＰＵ回路部
１０８  フィーダ
【図１】
0003624058.tif 000002
【図２】
0003624058.tif 000003
【図３】
0003624058.tif 000004
【図４】
0003624058.tif 000005
【図５】
0003624058.tif 000006
【図６】
0003624058.tif 000007
【図７】
0003624058.tif 000008
【図８】
0003624058.tif 000009
【図９】
0003624058.tif 000010
【図１０】
0003624058.tif 000011
【図１１】
0003624058.tif 000012
【図１２】
0003624058.tif 000013
【図１３】
0003624058.tif 000014
【図１４】
0003624058.tif 000015
【図１５】
0003624058.tif 000016